(57)【要約】      （修正有）【課題】ハクビシン等の小動物が内部に進入しやすく、内部に捕獲された小動物が逃げ出すことが難しい捕獲器を提供する。【解決手段】一端が開口した開口部５ａとなっている筐体５と該開口部５ａを開閉可能に塞ぐ扉６とで構成した捕獲器１について、、該扉６を、弾性部材１０、１１、１２を介して揺動可能な状態で支持される塞ぎ板７、８、９を配置し、筐体５側に負荷が働くと塞ぎ板７、８、９が該弾性部材１０、１１、１２の付勢力に抗して筐体板面２、３、４側に揺動して開放姿勢になり、該負荷がなくなると弾性部材１０、１１、１２の復帰力によって筐体５中央側に揺動して元の閉鎖姿勢に戻るように構成した。【選択図】図１
0003180097.tif 000002
【実用新案登録請求の範囲】
【請求項１】
複数の板面で形成される筒状の角柱形状をし、一端が開口した開口部、他端が閉鎖した閉鎖面となっている筐体と、該筐体の開口部を開閉可能に塞ぐ扉とで構成された小動物の捕獲器であって、
前記扉は、筐体開口部であって筐体各板面端部に揺動可能な状態で支持される複数の塞ぎ板によって無底で中空角錐形状のものとして構成されると共に、
該塞ぎ板は、各板面とのあいだに弾性部材を介して揺動可能に支持されていて、筐体側に負荷が働くと該弾性部材の付勢力に抗して筐体板面側に揺動して開放姿勢になり、該負荷がなくなると弾性部材の復帰力によって筐体中央側に揺動して元の閉鎖姿勢に戻るように構成されていることを特徴とする小動物の捕獲器。
【請求項２】
塞ぎ板は、底側塞ぎ板と、該底側塞ぎ板よりも上側にある複数の塞ぎ板とにより閉鎖姿勢において角錐形状をしたものであって、
扉が閉鎖姿勢にある場合、底側塞ぎ板は、該底側塞ぎ板に隣接する二枚の塞ぎ板の下端縁に対して少なくとも面一状に入り込むように設定されていることを特徴とする請求項１記載の小動物の捕獲器。
【請求項３】
底側塞ぎ板を付勢する弾性部材は、他の塞ぎ板を付勢する弾性部材よりも小さい付勢力に設定されていることを特徴とする請求項２記載の小動物の捕獲器。
【請求項４】
筐体は三角柱形状をし、扉は三角錐形状をしていることを特徴とする請求項１乃至３の何れか１記載の小動物の捕獲器。
【考案の詳細な説明】
【技術分野】
【０００１】
本考案は、主にハクビシンやキツネ、タヌキ、イタチ、さらにはネズミ等の小動物を捕獲する小動物の捕獲器の技術分野に関するものである。
【背景技術】
【０００２】
従来、ハクビシンやネズミ等の小動物を捕獲するための捕獲器として、例えば金網や鉄格子等で入口がある箱状の檻を形成し、該入口部から小動物が入った場合に入口を扉で塞ぐようにして小動物を捕獲するものが知られている。このような捕獲器の中には、例えば床板をシーソー式とし、捕獲器に入った小動物の体重で床板を跳ね上げ、該跳上げた床板で入口を塞いた状態で施錠して逃げ出さないようにしたもの（例えば特許文献１）や、入口にヒンジを介して扉を設け、該扉が捕獲器内側にのみ揺動し、捕獲器外方へは飛び出さないようにすることで、小動物が捕獲器内に入ることはできる一方、捕獲器外へ出ようとしても扉が外側へは開かないため小動物を閉じ込められるようにしたものが知られている（例えば、特許文献２参照）。
【先行技術文献】
【特許文献】
【０００３】
【特許文献１】特開２００９−１８３２７４号公報
【特許文献２】特開２００７−２７４９１９号公報
【考案の概要】
【考案が解決しようとする課題】
【０００４】
しかしながら前記特許文献１のものは、扉がシーソー式になっているため、捕獲器がその分長いものとなって大型化せざるを得ないだけでなく、床板が閉まるまでの途中過程で床板の前後端が浮いた不安定な姿勢を経るため、用心深い小動物のなかには床板の不安定状態を嫌って捕獲器に入らず、捕獲できないという問題がある。
また前記特許文献２のものは、捕獲器の天井面に扉のヒンジを設けているが、ヒンジをバネ等の付勢手段付きのものとして逃げ防止の配慮をしたとしても、扉の下端はヒンジ位置から遠いため、バネ力が弱いと小動物が底面側から脚（爪）や鼻等を使って扉を巧みに持ち上げて逃げてしまう惧れがあり、逆にバネ力を強くすると小動物が入りにくくなるという惧れがあり、これらに本考案の解決すべき課題がある。
【課題を解決するための手段】
【０００５】
本考案は、上記の如き実情に鑑みこれらの課題を解決することを目的として創作されたものであって、請求項１の考案は、複数の板面で形成される筒状の角柱形状をし、一端が開口した開口部、他端が閉鎖した閉鎖面となっている筐体と、該筐体の開口部を開閉可能に塞ぐ扉とで構成された小動物の捕獲器であって、前記扉は、筐体開口部であって筐体各板面端部に揺動可能な状態で支持される複数の塞ぎ板によって無底で中空角錐形状のものとして構成されると共に、該塞ぎ板は、各板面とのあいだに弾性部材を介して揺動可能に支持されていて、筐体側に負荷が働くと該弾性部材の付勢力に抗して筐体板面側に揺動して開放姿勢になり、該負荷がなくなると弾性部材の復帰力によって筐体中央側に揺動して元の閉鎖姿勢に戻るように構成されていることを特徴とする小動物の捕獲器である。
請求項２の考案は、塞ぎ板は、底側塞ぎ板と、該底側塞ぎ板よりも上側にある複数の塞ぎ板とにより閉鎖姿勢において角錐形状をしたものであって、扉が閉鎖姿勢にある場合、底側塞ぎ板は、該底側塞ぎ板に隣接する二枚の塞ぎ板の下端縁に対して少なくとも面一状に入り込むように設定されていることを特徴とする請求項１記載の小動物の捕獲器である。
請求項３の考案は、底側塞ぎ板を付勢する弾性部材は、他の塞ぎ板を付勢する弾性部材よりも小さい付勢力に設定されていることを特徴とする請求項２記載の小動物の捕獲器である。
請求項４の考案は、筐体は三角柱形状をし、扉は三角錐形状をしていることを特徴とする請求項１乃至３の何れか１記載の小動物の捕獲器である。
【考案の効果】
【０００６】
請求項１、４の考案とすることで、小動物が内部に進入しやすいものでありながら、内部に捕獲した小動物を容易に閉じ込めておくことができる。
請求項２、３の考案とすることで、内部に捕獲した小動物を確実に閉じ込めておくことができる。
【図面の簡単な説明】
【０００７】
【図１】捕獲器の斜視図である。
【図２】捕獲器の扉を示す図面であって、（Ａ）は正面図、（Ｂ）は側面図、（Ｃ）は底面図である。
【図３】（Ａ）、（Ｂ）はそれぞれ、塞ぎ板の揺動を示す説明断面図である。
【図４】（Ａ）、（Ｂ）、（Ｃ）はそれぞれ、捕獲器内に小動物が侵入したときの捕獲器の動きを示す説明断面図である。
【考案を実施するための形態】
【０００８】
次に、本考案の実施の形態について図面に基づいて説明する。図面において、１はハクビシン等の小動物の捕獲器であって、該捕獲器１は、三枚の長方形をした板面を柱面（側面）２、３、４とした筒状の正三角柱形状をし、一端が開口部５ａとなり、他端が三角板面を閉鎖面５ｂとした筐体５と、該筐体５の開口部５ａを開閉可能に塞ぐ扉６とで構成されている。本実施の形態において、捕獲器１を設置した状態において板面２は地面（設置箇所）と当接する底側板面となっていて、底側板面２から左右側板面３、４がそれぞれ斜め上方に向けて配されている。
【０００９】
前記扉６は、二等辺三角形状の平板からなる三枚の塞ぎ板７、８、９で構成されているが、該塞ぎ板７、８、９は、それぞれ板面２、３、４に対応し、底側塞ぎ板７、該底側塞ぎ板７よりも上側にある左右側塞ぎ板８、９として設けられている。そして、各塞ぎ板支持辺７ａ、８ａ、９ａが筐体開口部５ａの各辺部にそれぞれヒンジ（図示せず）を介して取り付けられる（枢支される）ことで、扉６は、該開口部５ａ部位が開口し、該開口部５ａから捕獲器１内側へ向けて凹んだ状態の三角錐形状になっているが、左右側塞ぎ板８、９の支持辺８ａ、９ａは、筐体開口部５ａの一辺と略同じ長さのものとして構成されている。
一方、該底側塞ぎ板７の各辺は、左右側塞ぎ板８、９の各辺よりも板厚分だけ短いものとして構成されており、これによって、前記底側塞ぎ板７の二等辺（支持辺７ａ以外の２辺）７ｂ、７ｃは、後述する扉６の閉鎖姿勢において、左右側塞ぎ板８、９の下側二等辺８ｂ、９ｂの内端部位にそれぞれ当接することになって、底側塞ぎ板７の裏面（下面）が前記各下側二等辺８ｂ、９ｂの端縁部分と略面一状になるように設定されている。つまり図２（Ａ）〜（Ｃ）に示すように底側塞ぎ板７は、該底側塞ぎ板７に隣接する二枚の左右側塞ぎ板８、９の下端縁に略面一状に入り込むように設定されている。
【００１０】
さらに、塞ぎ板７、８、９の裏面と筐体５の各板面２、３、４との対向間であって三角形の底辺（ヒンジ）位置よりも頂部側位置には、板バネ等の弾性部材１０、１１、１２がそれぞれ介装されているが、本実施の形態では、弾性部材１０、１１、１２は板面２、３、４側で固着され、塞ぎ板７、８、９の裏面とは摺接するようになっている。そして各塞ぎ板７、８、９は、常時は該弾性部材１０、１１、１２によって付勢されることで対応する二等辺部同士が互いに当接した閉鎖姿勢に保持されているが、このとき、底側塞ぎ板７は左右側塞ぎ板８、９の下側二等辺８ｂ、９ｂと略面一状になっているため、扉６の三角錐頂部側からは底側塞ぎ板７が視認できないように設定されている。さらに図３（Ａ）、（Ｂ）に示すように、各塞ぎ板７、８、９は、三角面部に各板面２、３、４側に向けて力が加わると弾性部材１０、１１、１２が変形して扉６が開口した開放姿勢になり、該力がなくなると弾性部材１０、１１、１２の復帰力によって塞ぎ板７、８、９が元の閉鎖姿勢に戻るように構成されている。
なお、本実施の形態において捕獲器１（筐体５、扉６）は図示しない通気孔（例えば孔開き板）を備えたアクリル樹脂製の板で形成されているが、これに限定されることはなく、金網や鉄格子等、餌の匂いや空気が通り抜けられる通気手段を有し、捕獲器１内部が視認でき、捕らえた小動物が暴れても壊れない強度があるものであれば良い。
【００１１】
次に、小動物、ここではハクビシンＡが捕獲器１内に捕獲される際の捕獲器１の仕組みについて図１、図４をもとに説明する。
まず、捕獲器１の扉６とは反対側端部に餌Ｆを入れ、底側板面２が底面となるよう地面等に設置して仕掛けておくが、このとき、扉６は弾性部材１０、１１、１２の付勢力によって閉鎖姿勢となっている（図１）。
仕掛けておいた捕獲器１の近くにハクビシンＡが来て捕獲器１外部から内部の餌Ｆを匂い等によって確認すると、餌Ｆを取るため捕獲器１内に入ろうと試みて、餌Ｆの反対側にある扉６から捕獲器１内へ進入しようとする。そしてハクビシンＡが脚で底側塞ぎ板７を踏み込むと、該底側塞ぎ板７はハクビシンＡの体重によって弾性部材１０の付勢力に抗して下方（底側板面２側）に揺動するが、これによって扉６がやや開放した状態となる（図４（Ａ））。ハクビシンＡが捕獲器１内にさらに侵入しようとすると、底側塞ぎ板７はハクビシンＡの体重を受けて大きく下方に揺動し、さらに、頭部、胴体、脚等が左右側塞ぎ板８、９にも当接していくことになって、該左右側塞ぎ板８、９も弾性部材１１、１２の付勢力に抗してそれぞれ筐体５（左右側板面３、４）側へ揺動して開放し、これによって扉６はハクビシンＡが通れる程度の隙間Ｓが生じた開放姿勢となる（図４（Ｂ））。
そして、ハクビシンＡが身体全体を隙間Ｓから通して扉６を通り越して捕獲器１内に入ると、塞ぎ板７、８、９はハクビシンＡの体重、抵抗がかからなくなるため、弾性部材１０、１１、１２の復帰力で中央側へ揺動することになって隙間Ｓがなくなり、扉６は元の閉鎖姿勢へと変姿し、これによりハクビシンＡを捕獲器１内に捕獲することができる（図４（Ｃ））。
【００１２】
しかしながら、この状態で、閉じ込められたことに気付いたハクビシンＡが捕獲器１外へ出ようと試みることが考えられ、爪や脚等でなんとか扉６を開放しようとすることが想定される。このとき、ハクビシンＡが入りやすくするため他の弾性部材１１、１２よりも小さい付勢力で付勢されている底側塞ぎ板７は、左右塞ぎ板８、９の下端縁部に入り込んでいて該左右側塞ぎ板８、９に覆われた状態になっているため、底側塞ぎ板７を爪を引っ掛けたりして開けることができず、また左右塞ぎ板８、９は大きい付勢力で付勢されているため開けづらいものとなっている結果、ハクビシンＡが扉６を開けて逃げてしまうことを防止できるようになっている。
【００１３】
叙述のごとく構成された本考案の実施の形態について、ハクビシンＡ等の小動物の捕獲器１は、一端が開口部５ａ、他端が閉鎖面５ｂとなっている三角柱形状の筐体５と、概況体の開口部を開閉可能に塞ぐ扉６とで構成され、そして該扉６は、筐体開口部５ａに揺動可能な状態で支持される三枚の塞ぎ板７、８、９によって底面のない中空三角錐形状のものとし、しかも該塞ぎ板７、８、９は、筐体５の板面２、３、４とのあいだに弾性部材１０、１１、１２を介して揺動自在に付勢されているものであって、ハクビシンＡが捕獲器１内へ進入しようとして三角錐内に入り込んで塞ぎ板７、８、９に対して筐体側に負荷が働くと該塞ぎ板７、８、９は弾性部材１０、１１、１２の付勢力に抗して筐体板面２、３、４側に揺動して開放姿勢になって、ハクビシンＡが扉を通り抜けることになる。そして、ハクビシンＡが扉６を通り抜けて塞ぎ板７、８、９に働く負荷がなくなると弾性部材１０、１１、１２の復帰力によって筐体５中央側に揺動して元の閉鎖姿勢に戻り、ハクビシンＡを捕獲器１内に閉じ込めることができる。
このように、ハクビシンＡが扉６（底側塞ぎ板７）に踏み入れると弾性部材１０、１１、１２の付勢力に抗して扉６が開放姿勢となっていくため、ハクビシンＡが捕獲器１内部に侵入しやすいものとなる一方、捕獲器１内部からは扉６の三角錐頂部が突出しているため、捕獲器１内部のハクビシンＡが扉６に近付き難いものとすることができる。そして、例えば既に一匹のハクビシンＡが捉えられている捕獲器１に別のハクビシンが進入しようとして外側から扉６を開放した場合であっても、内部にいるハクビシンＡは鋭利で尖った扉６には近付くことができず、ハクビシンＡを確実に捕獲しておくことができる。
【００１４】
さらに、扉の閉鎖姿勢において、底側塞ぎ板７は、左右側塞ぎ板８、９の下端縁に対して面一状に入り込むように設定されているため、捕獲器１内部、特に扉６の三角錐頂部からは底側塞ぎ板７が見えない構成となっており、捕獲器１内から扉６を開放しにくいものとすることができる。
【００１５】
さらに、このものにおいて、底側塞ぎ板７を付勢する弾性部材１０を、左右側塞ぎ板８、９を不正する弾性部材１１、１２よりも小さい付勢力のものとして設定することで、ハクビシンＡが捕獲器１内に入るべく底側塞ぎ板７を踏み込んだ場合に、該底側塞ぎ板７の下方への揺動がスムーズで扉６を開放姿勢にしやすく、ハクビシンＡが捕獲器１内に進入しやすいものとすることができ、しかも、閉鎖姿勢においては、前記ハクビシンＡが入り易いよう足を踏込む底側塞ぎ板７の付勢力を小さくしているが、該底側塞ぎ板７は、筐体内側からは左右塞ぎ板８、９によって覆われた状態となっているため足を掛けて開けることができず、また左右側塞ぎ板８、９は弾性部材１１、１２の大きく設定される付勢力によって開けることが難しくなっているため筐体内からハクビシンＡが扉６を開けて逃げ出してしまうことを防止して確実に捕獲することができる。
【００１６】
なお、本考案は前記実施の形態に限定されないことは勿論であって、例えば筐体を四角柱、五角柱等の適宜の角柱にすることもできる。
さらに、捕獲した小動物を取り出しやすいように、扉とは他端側である閉鎖面側に取り出し口を設け、該取り出し口は鍵等を用いて施錠できるようにすることで、捕獲器の仕掛け状態においては開放することがない構成とすることもできる。
【００１７】
また、前記実施の形態の捕獲器１は、底側塞ぎ板７、と左右側塞ぎ板８、９の大きさが板厚分だけ異なるものであったが、すべての塞ぎ板を同じ大きさのものとすることもできる。このように構成することで、ハクビシンが扉を無理やりこじ開けようとしたり、どうにか脱出しようと捕獲器内で大暴れしたりして捕獲器１が横転してしまった場合、各板面が同じ構成、同じ大きさとなっていると、左右側塞ぎ板の何れかが下側に位置することになっても該回転による影響はなく扉を閉鎖姿勢に保つことができることになり、扉を内側から開放させることは相変わらずできず、ハクビシンを確実に捕獲しておくことができるものである。
【００１８】
さらにまた、前記実施の形態の捕獲器１は筐体の一端である開口部に扉を設け、他端を閉鎖面としているが、筐体の両端を開口部として、該両端開口部にそれぞれ塞ぎ板で構成される扉を設けるようにしてもよい。この場合、餌は筐体中央部に置くことになる。そしてこのように構成することで、ハクビシンが筐体の両端どちら側からでも入ることができて効率のよい捕獲器とすることができる。
【産業上の利用可能性】
【００１９】
本考案は、主にハクビシンやキツネ、タヌキ、イタチ、さらにはネズミ等の小動物を捕獲する小動物の捕獲器の技術分野に利用することができる。
【符号の説明】
【００２０】
１    捕獲器
６    扉
７    底側塞ぎ板
８    左側塞ぎ板
９    右側塞ぎ板
１０    弾性部材
１１    弾性部材
１２    弾性部材
【図１】
0003180097.tif 000003
【図２】
0003180097.tif 000004
【図３】
0003180097.tif 000005
【図４】
0003180097.tif 000006
【手続補正書】
【提出日】平成24年9月27日(2012.9.27)
【手続補正１】
【補正対象書類名】実用新案登録請求の範囲
【補正対象項目名】全文
【補正方法】変更
【補正の内容】
【実用新案登録請求の範囲】
【請求項１】
複数の板面で形成される筒状の角柱形状をし、一端が開口した開口部、他端が閉鎖した閉鎖面となっている筐体と、該筐体の開口部を開閉可能に塞ぐ扉とで構成された小動物の捕獲器であって、
前記扉は、筐体開口部であって筐体各板面端部に揺動可能な状態で支持される複数の塞ぎ板によって構成され、該筐体開口部部位は開口し、該開口部から捕獲器内側へ向けて凹んだ状態の角錐形状のものとして構成されると共に、
該塞ぎ板は、各板面とのあいだに弾性部材を介して揺動可能に支持されていて、筐体側に負荷が働くと該弾性部材の付勢力に抗して筐体板面側に揺動して開放姿勢になり、該負荷がなくなると弾性部材の復帰力によって筐体中央側に揺動して元の閉鎖姿勢に戻るように構成されていることを特徴とする小動物の捕獲器。
【請求項２】
塞ぎ板は、底側塞ぎ板と、該底側塞ぎ板よりも上側にある複数の塞ぎ板とにより閉鎖姿勢において角錐形状をしたものであって、
扉が閉鎖姿勢にある場合、底側塞ぎ板は、該底側塞ぎ板に隣接する二枚の塞ぎ板の下端縁に対して少なくとも面一状に入り込むように設定されていることを特徴とする請求項１記載の小動物の捕獲器。
【請求項３】
底側塞ぎ板を付勢する弾性部材は、他の塞ぎ板を付勢する弾性部材よりも小さい付勢力に設定されていることを特徴とする請求項２記載の小動物の捕獲器。
【請求項４】
筐体は三角柱形状をし、扉は三角錐形状をしていることを特徴とする請求項１乃至３の何れか１記載の小動物の捕獲器。
【手続補正２】
【補正対象書類名】明細書
【補正対象項目名】０００５
【補正方法】変更
【補正の内容】
【０００５】
本考案は、上記の如き実情に鑑みこれらの課題を解決することを目的として創作されたものであって、請求項１の考案は、複数の板面で形成される筒状の角柱形状をし、一端が開口した開口部、他端が閉鎖した閉鎖面となっている筐体と、該筐体の開口部を開閉可能に塞ぐ扉とで構成された小動物の捕獲器であって、前記扉は、筐体開口部であって筐体各板面端部に揺動可能な状態で支持される複数の塞ぎ板によって構成され、該筐体開口部部位は開口し、該開口部から捕獲器内側へ向けて凹んだ状態の角錐形状のものとして構成されると共に、該塞ぎ板は、各板面とのあいだに弾性部材を介して揺動可能に支持されていて、筐体側に負荷が働くと該弾性部材の付勢力に抗して筐体板面側に揺動して開放姿勢になり、該負荷がなくなると弾性部材の復帰力によって筐体中央側に揺動して元の閉鎖姿勢に戻るように構成されていることを特徴とする小動物の捕獲器である。
請求項２の考案は、塞ぎ板は、底側塞ぎ板と、該底側塞ぎ板よりも上側にある複数の塞ぎ板とにより閉鎖姿勢において角錐形状をしたものであって、扉が閉鎖姿勢にある場合、底側塞ぎ板は、該底側塞ぎ板に隣接する二枚の塞ぎ板の下端縁に対して少なくとも面一状に入り込むように設定されていることを特徴とする請求項１記載の小動物の捕獲器である。
請求項３の考案は、底側塞ぎ板を付勢する弾性部材は、他の塞ぎ板を付勢する弾性部材よりも小さい付勢力に設定されていることを特徴とする請求項２記載の小動物の捕獲器である。
請求項４の考案は、筐体は三角柱形状をし、扉は三角錐形状をしていることを特徴とする請求項１乃至３の何れか１記載の小動物の捕獲器である。